【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
上部左前身頃と上部右前身頃（右前身頃）と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部左衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
上部左前身頃と上部右前身頃とを、それぞれ下部左前身頃と下部右前身頃とに対して、上部後身頃側にずらして縫製することにより、前記上部左前身頃と前記上部右前身頃とに生地重ね部を設け、
前記上部左前身頃から前記生地重ね部を除いた部分の前幅と上部右衽の幅とを合わせた寸法は、下部左前身頃の前幅と同寸法であり、
前記上部右前身頃から前記生地重ね部を除いた部分の前幅と、上部左衽の幅とを合わせた寸法は、下部右前身頃の前幅と同寸法であることを特徴とする立体縫製きもの。
【請求項２】
上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部左衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
少なくとも右において、お端折り部の端部と下部右衽の端部とが縫着されておらず、各々独立してなることを特徴とする立体縫製きもの。
【請求項３】
上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部左衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
上衣部を構成する左右の両衿先がお端折り部の上端よりも下方に垂れ下がり、前記両衿先の端部と前記お端折り部の上側端とが縫着されておらず、各々独立してなることを特徴とする立体縫製きもの。
【請求項４】
上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部左衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
上部後身頃における脇線から背中心までの幅を１とした際、前記上部後身頃の脇線から背中心に向けて１/３の幅までの間において、前記上部後身頃の下端部にタックを設けることを特徴とする立体縫製きもの。
【請求項５】
上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部左衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成されてなり、
２本のウエストベルトと、前記２本のウエストベルトを挿通するための２つのループとを有しており、
前記ウエストベルトの一つは、その一端が、右の身八ツ口付近であって前記お端折り部上端の裏側に取り付けられており、前記ウエストベルトのもう一つは、その一端が、左の身八ツ口付近であって、前記お端折り部上端の表側に取り付けられており、
前記２つのループは、それぞれ、前記下部右衽の褄下上端部、及び前記下部左衽の褄下上端部に設けられ、
着用者の体型に適合するように、裁断、及び曲線縫製された立体縫製きものにおいて、
少なくとも前記下部右衽の褄下上端部に設けられるループが、前記下部右衽の上端部に突出して取り付けられることを特徴とする立体縫製きもの。
【手続補正２】
【補正対象書類名】明細書
【補正対象項目名】０００９
【補正方法】変更
【補正の内容】
【０００９】
すなわち、本発明は、
（１）  上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部右衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
上部左前身頃と上部右前身頃とを、それぞれ下部左前身頃と下部右前身頃とに対して、上部後身頃側にずらして縫製することにより、前記上部左前身頃と前記上部右前身頃とに生地重ね部を設け、
前記上部左前身頃から前記生地重ね部を除いた部分の前幅と上部右衽の幅とを合わせた寸法は、下部左前身頃の前幅と同寸法であり、
前記上部右前身頃から前記生地重ね部を除いた部分の前幅と、上部左衽の幅とを合わせた寸法は、下部右前身頃の前幅と同寸法であることを特徴とする立体縫製きもの。
（２）  上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部右衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
少なくとも右において、お端折り部の端部と下部右衽の端部とが縫着されておらず、各々独立してなることを特徴とする立体縫製きもの。
（３）  上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部右衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成され、
上衣部を構成する左右の両衿先がお端折り部の上端よりも下方に垂れ下がり、前記両衿先の端部と前記お端折り部の上側端とが縫着されておらず、各々独立してなることを特徴とする請求項１〜３のいずれか一項に記載の立体縫製きもの。
（４）  上部後身頃における脇線から背中心までの幅を１とした際、前記上部後身頃の脇線から背中心に向けて１/３の幅までの間において、前記上部後身頃の下端部にタックを設けることを特徴とする立体縫製きもの。
（５）  上部左前身頃と上部右前身頃と上部後身頃と上部右衽と上部左衽と衿と袖とからなる上衣部と、
下部左前身頃と下部右前身頃と下部後身頃と下部右衽と下部左衽とからなる下衣部と、
お端折り部左前身頃とお端折り部右前身頃とお端折り部後身頃とお端折り部右衽とお端折り衿一体部とからなるお端折り部と、
から構成され、
前記上衣部の下端縁、前記下衣部の上端縁、ならびに前記お端折り部の上端縁とが一線上で縫着され、前記お端折り部の下端縁は垂れ下がるように形成されてなり、
２本のウエストベルトと、前記２本のウエストベルトを挿通するための２つのループとを有しており、
前記ウエストベルトの一つは、その一端が、右の身八ツ口付近であって前記お端折り部上端の裏側に取り付けられており、前記ウエストベルトのもう一つは、その一端が、左の身八ツ口付近であって、前記お端折り部上端の表側に取り付けられており、
前記２つのループは、それぞれ、前記下部右衽の褄下上端部、及び前記下部左衽の褄下上端部に設けられ、
着用者の体型に適合するように、裁断、及び曲線縫製された立体縫製きものにおいて、
少なくとも前記下部右衽の褄下上端部に設けられるループが、前記下部右衽の上端部に突出して取り付けられることを特徴とする立体縫製きもの。
【手続補正３】
【補正対象書類名】明細書
【補正対象項目名】００１１
【補正方法】変更
【補正の内容】
【００１１】
本発明の立体縫製きものは、これを構成する前記各々の部位に用いる生地について、着用者の身体における所定箇所を採寸してその体型に適合するように裁断条件を予め最適化し、これに基づいて生地を裁断して縫製し、前記上衣部の下端縁、前記下衣部の上端縁、ならびに前記お端折り部の上端縁とを一線上で縫着し、前記お端折り部の下端縁は垂れ下がるようにして縫製することにより得られる。
上記（１）の構成を採用することにより、前記上部前身頃と前記上部衽、及び前記お端折り部や前記下部前身頃における前幅の関係が明らかとされ、従来の立体縫製きものにおける上部衽に比して、前記上部衽において衿付け斜線に縫着される部位における生地の裁断を前記上部前身頃側にずらして小さく設定することにより、着装した際に衿元がだぶつかずにすっきりとし、胸元が綺麗に出る。
【手続補正４】
【補正対象書類名】明細書
【補正対象項目名】００１２
【補正方法】変更
【補正の内容】
【００１２】
上記（２）の構成を採用することにより、着装時に下部衽に取り付けられたループにウエストベルトが挿通され、お端折り部に横方向への引っ張りが生じるが、前記お端折り部は独立しているためにその引っ張りに影響されることが少なく、着用者の腹部の膨らみなどに柔軟に対応することができ、不自然な皺が生じることを防ぐことができる。
【手続補正５】
【補正対象書類名】明細書
【補正対象項目名】００１３
【補正方法】変更
【補正の内容】
【００１３】
上記（３）の構成を採用することにより、本発明の立体縫製きものの、特に長時間の着装などにより衿元に崩れが生じた場合でも、帯の下から手を入れ、衿先を引くことによりこれを直すことが容易であり、常に美麗に着こなすことの一助となる。
【手続補正６】
【補正対象書類名】明細書
【補正対象項目名】００１４
【補正方法】変更
【補正の内容】
【００１４】
上記（４）の構成を採用することにより、上部後身頃のウエスト部に生地の余裕ができ、着用者の背中の丸みや腕の動きにより生じる吊れなどに柔軟に対応することができるほか、背中に生じる皺を脇方向に逃がすこととなりこれを見え難くするため、着装した際の後姿を美麗に見せることができる。
【手続補正７】
【補正対象書類名】明細書
【補正対象項目名】００１５
【補正方法】変更
【補正の内容】
【００１５】
上記（５）の構成を採用することにより、該ループにウエストベルトを挿通して身頃を身体に引き寄せた際、前記ウエストベルトによる横上方向への引っ張りにより下衣部における右の生地に生じるよじれにつき、前記ループがよじれることによりこれが緩和され、着用者の体型差に応じて柔軟にフィットすることとなるため、不自然な皺の発生を防止することができる。
また、下部右衽の上端部が横上方向に引かれることとなるために右の褄先が上がることに繋がり、美しい着姿となる。